(57)【要約】【課題】  複数のデータの中から選択された複数のデータを複数の相手に送信する事を容易に設定できるＧＵＩを提供する。【解決手段】  データの一覧画面から送信先を指定するラベルを貼り付け（複数可能）、その後一括で送信する。【選択図】  図１
2006227805.tif 000002
【特許請求の範囲】
【請求項１】
データを格納するデータ格納手段と、
前記データ格納手段に格納されたデータを表示する表示手段と、
前記表示手段に一覧表示されたデータを指示するための指示手段と、データの送信をおこなう無線通信手段とを有する機器において、
前記表示手段に一覧表示された複数のデータに対して前記指示手段により指示されたデータに少なくともひとつの送信先に関連付けられたラベルを少なくともひとつ表示し、前記送信先に前記無線通信手段によりデータの送信を行うことを特徴とするデータ送信装置。
【請求項２】
前記表示手段に一覧表示されたデータのうち前記ラベルが関連付けられたデータのみを一覧表示することを特徴とする請求項第１に記載のデータ送信装置。
【請求項３】
前記表示手段に一覧表示されたデータをアイコン形式で表示することを特徴とする請求項第１に記載のデータ送信装置。
【請求項４】
前記ラベル表示は、既に同じラベルが関連付けられている場合は、関連付けを解除することを特徴とする請求項第１に記載のデータ送信装置。
【請求項５】
前記ラベル表示は、既に同じラベルが関連付けられている場合は、警告表示を行うことを特徴とする請求項第１に記載のデータ送信装置。
【請求項６】
前記ラベル表示を一括して削除するラベル削除手段を有することを特徴とする請求項第１に記載のデータ送信装置。
【請求項７】
前記ラベル表示は、データ送信が完了した場合に、ラベルの表示形態を異ならせて表示することを特徴とする請求項第１に記載のデータ送信装置。
【発明の詳細な説明】
【技術分野】
【０００１】
本発明は、データ送信機器のデータ送信先の設定方法に関するものである。
【背景技術】
【０００２】
従来、データ送信機器において、複数のデータを複数の送信先に送信する場合は、一つのデータに対してそれぞれ送信先を設定するか、若しくは、一つの送信先に対して複数のデータを選択して送信する様構成されていた。
【０００３】
又、別の従来例としては、特許文献１をあげることが出来る。
【特許文献１】特開２００１−２１６２１３号公報
【発明の開示】
【発明が解決しようとする課題】
【０００４】
しかしながら、上記従来の構成では、操作者が一つのデータ若しくは、一つの送信先に対してしか送信の確認ができず、送信もれや誤送信を犯す場合があり不便であった。
【課題を解決するための手段】
【０００５】
上記目的を達成するため、データを格納するデータ格納手段と、前記データ格納手段に格納されたデータを表示する表示手段と、前記表示手段に一覧表示されたデータを指示するための指示手段と、データの送信をおこなう無線通信手段とを有する機器において、前記表示手段に一覧表示された複数のデータに対して前記指示手段により指示されたデータに少なくともひとつの送信先に関連付けられたラベルを少なくともひとつ表示し、前記送信先に前記無線通信手段によりデータの送信を行う様構成した。
【発明の効果】
【０００６】
以上説明した様に、本発明では、データ格納手段に格納されている複数のデータを複数の相手に送信する場合に、ラベル表示によりデータの選択及び送信先を容易に設定する事が可能となるＧＵＩ及び機器を実現できる。
【発明を実施するための最良の形態】
【０００７】
（第１実施例）
図１は、本発明の機器の第１実施例の概略構成を示すブロック図である。図１において、１０１はＣＰＵであり、本機器の動作はこのＣＰＵ１０１により制御される。ＣＰＵ１０１には、制御プログラムを記憶しているＲＯＭ１０２、ＲＡＭ１０３、ユーザーデータを格納するためのデータ格納手段１０４、他の機器やネットワークに接続しデータの送受信を行うための通信手段１０５、タブレットの制御、検出を行うタブレットコントロール部１０９、ＬＣＤコントロール部１０６、操作に使われるキーＳＷ群１１３がそれぞれ接続されている。
【０００８】
ＣＰＵ１０１はＲＯＭ１０２内の制御プログラムに基づいて各種制御を行う。ＲＡＭ１０３はＣＰＵ１０１が各種処理を行うための一次データ格納手段として使われ、データ格納手段１０４は、画像、テキスト、音声などの各種データをファイル形式で格納しておくためのメモリであり、本実施例ではフラッシュメモリで構成される。
【０００９】
通信手段１０５は、無線通信機能を有し他の機器との無線により接続し、データの送受信を行う。
【００１０】
ＬＣＤコントロール部１０６には表示駆動部１０７、さらに表示部（ＴＦＴカラー液晶）１０８が接続されている。また、タブレットコントロール部１０９には、表示部１０８上に設置された手書きタブレット１１０が接続され、手書きタブレットへの入力の検出を行う。
【００１１】
ＤＣ／ＤＣコンバータ１１１は、電池１１２から供給される電圧を本機器の回路で必要とされる電圧へ変換し各回路へ供給を行う。
【００１２】
スイッチ１１３は、操作者により操作（押下）されると、信号によりＣＰＵ１０１へ割り込みの入力を行う。ＣＰＵ１０５は、この割り込み後に実行される処理により押下されたスイッチの判別を行い、各スイッチに対応した処理を実行する。
【００１３】
図２は、本実施例の機器２０１の外観図であり、表示部（ＬＣＤ）１０８の上面に手書きタブレット１１０が配置され、操作者は、ペン２０２などを用いて、表示部１０８に表示されるＧＵＩ（グラフィックユーザーインタフェース）への指示を手書きタブレット１１０を通してＣＰＵ１０１に伝える。また、スイッチ群１１３は、表示部と同一面に配置され操作によるスイッチ群１１３の操作により対応した処理が実行される。
【００１４】
以下、図３、４のデータ送信モードの動作の流れを示すフローチャート及び図５、６、７の表示例用いて本実施例の動作について説明する。ここで、本機器においてデータ送信モードとは、データ格納手段１０４に格納されている各種データを操作者が選択し、通信手段１０５よりデータの送信を行うモードである。
【００１５】
本実施例の機器でデータ送信モードの実行が、操作者により指示されると、ステップＳ３０１からステップＳ３０２へ移行し、ステップＳ３０２でデータ格納手段１０４に格納されているデータ（画像、テキスト、音声、動画など）がアイコン表示される。ここで、図５は表示部１０８に表示されるデータ送信モードの表示例である。図５の５０１の表示領域には、データ格納手段１０４に格納されているユーザーデータがアイコンで一覧表示される（以下データアイコンと記述する。）。５０２の表示領域には、予め他のモードで設定され登録されているデータ送信先（この場合メールアドレス）のリストが表示される。リストには、ラベル名、とメールアドレスが表示され、図５の表示例では、５０２ａの領域にラベル名「Ａ」が表示され、５０２ｂの領域には、メールアドレスが表示されている（以下５０２ａ、５０２ｂを合わせて送信先ラベルと記述する）。以下５０２の表示領域には、登録された送信先毎にラベル名、メールアドレスが表示される。また、送信先リスト内の現在ユーザーに選択された送信先ラベルは、表示を他のリスト表示と異ならせて強調表示する。（図５の表示例では、グレー色表示：５０２ａ、５０２ｂ）また、５０３の表示領域には、メニュー、送信などを指示するためのボタンが表示され、手書きタブレット１１０を通して操作者がその領域を指示することにより各ボタン表示に対応した処理が実行される。同様に５０４、５０５もボタン表示であり、５０１のデータ表示部のスクロールを指示するためのボタンである。
【００１６】
次のステップＳ３０３では、手書きタブレット１１０及びキー１１３への入力があるまで待ち、入力を検出するとステップＳ３０４で、手書きタブレット１１０へ入力された領域が表示領域５０１内のデータアイコン表示領域か判断し、データアイコン表示領域である場合には、ステップＳ３０５に移行し、後述する送信データ表示モードか判断し、送信データ表示モードである場合には、何もせず処理をステップＳ３０３に戻し、送信データ表示モードで無い場合にはステップＳ３０６に移行する。
【００１７】
ここで、送信データ表示モードとは、図６の表示例で示され、データアイコンに送信先ラベルが貼り付けてあるデータアイコンのみを表示領域５０１に一覧表示するモードである。また、表示領域５０２の送信先リストの送信先を選択することにより、表示例図７に示すように、選択された送信先のラベルが貼り付いたデータアイコンのみを表示領域５０１に一覧表示する表示モードである。
【００１８】
ステップＳ３０６では、指示されたデータアイコンに、表示領域５０２の送信先リストで現在選択されているラベル名に対応するラベルと同一のラベル（例：図中５０１ｂの表示）が既に表示されているか判断し、同一のラベルが既に表示されている場合は、ステップＳ３０７で指示されたデータアイコンに表示されているラベル表示を削除し、ステップＳ３０３に処理を戻す。また、ステップＳ３０６で同一のラベルが表示されていない場合は、ステップＳ３０８で、指示されたデータアイコンに、表示領域５０２の送信先リストで現在選択されているラベル名に対応するラベルの表示を行う。この時、データアイコンには、複数のラベルを表示する事が可能である。尚、貼り付けられたラベルの情報は、各データファイルの附帯情報として、データ格納手段１０４に格納される。
【００１９】
ステップＳ３０４で、手書きタブレット１１０へ入力された領域が図５の表示領域５０１内のデータアイコン表示領域でない場合は、処理をステップＳ３０９に移行しステップＳ３０９では、手書きタブレット１１０へ入力された領域が図５の表示領域５０２の送信先リスト領域であるか判断し、送信先リスト領域でない場合には、処理を図４のステップＳ４０１へ移し、送信先リスト領域である場合には、ステップＳ３１０に移行する。ステップＳ３１０では、送信データ表示モードか判断し、送信データ表示中である場合にはステップＳ３１１で選択された送信先ラベルを強調表示し、その後、選択された送信先のラベルが貼り付いたデータアイコンのみを表示領域５０１に一覧表示し処理をステップＳ３０３に戻す。
【００２０】
また、ステップＳ３１０で、送信データ表示モードでない場合には、ステップＳ３１２で選択された送信先ラベルの強調表示を行い処理ステップＳ３０３に戻す。（例：図５の５０２ａ、５０２ｂの表示形態）
次にステップＳ４０１では、手書きタブレット１１０へ入力された領域が図５の表示領域５０３ｅであるか判断し、表示領域５０３ｅの領域でない場合は処理をステップＳ４０３に移す。表示領域５０３ｅの領域である場合は、「一括削除ボタン」が選択されたので、送信先リスト内で現在選択されている送信先ラベルに対応した、データアイコンに貼り付けられたラベルを削除する。例えば、送信先ラベル「Ａ」が選択されている場合には、附帯情報に「Ａ」のラベルを有するデータアイコンから「Ａ」ラベルの情報削除し、一覧表示されているデータアイコンから「Ａ」のラベルを削除し再表示を行い処理を図３のステップＳ３０３に戻す。
【００２１】
次にステップＳ４０３では、手書きタブレット１１０へ入力された領域が図５の表示領域５０３ｂであるか判断し、表示領域５０３ｂの領域でない場合は処理をステップＳ４０７に移す。表示領域５０３ｂの領域である場合は、「送信データ表示モード」が選択されたので、ステップＳ４０４で現在送信データ表示モードであるかの判断を行い、送信データ表示モードでない場合には、ステップＳ４０５で附帯情報に送信先ラベルを有するデータアイコンを表示領域５０１に一覧表示を行い、送信データ表示モードに移行する。ステップＳ４０４で送信データ表示モードである場合には、送信データ表示モードを解除するためにステップＳ４０６で表示領域５０１に全てのデータの一覧表示を行う。
【００２２】
次にステップＳ４０７では、手書きタブレット１１０へ入力された領域が図５の表示領域５０３ｆであるか判断し、表示領域５０３ｆの領域でない場合は処理をステップＳ４０９に移す。表示領域５０３ｆの領域である場合は、「送信ボタン」が選択されたのでステップＳ４０８で、附帯情報に送信先ラベルを有するデータアイコンに対応するデータ格納手段１０４に格納されているファイルの全てを送信する。この時、送信先ラベルの情報として有するメールアドレス宛てにメールの添付ファイルとして、送信手段１０５を通してファイルの送信を行い、その後、送信したデータのラベルの情報を削除しステップＳ３０３に処理を戻す。
【００２３】
次にステップＳ４０９では、手書きタブレット１１０へ入力された領域のボタンに対応する処理を行い処理をステップＳ３０３に戻す。
【００２４】
以上説明したように、本実施例では、データ格納手段に格納されている複数のデータを複数の相手に送信する場合に、ラベル表示によりデータの選択及び送信先を容易に設定する事が可能となる。
【００２５】
また、本実施例では、通信手段として無線通信手段を備えたが、ＵＳＢ、ＩＥＥＥ１３９４などの有線通信手段でもよい。
【００２６】
更に、データの送信を電子メールとしたが、送信先にサーバーなどを指定して、ＦＴＰなどでデータの送信を実行しても良い。
【００２７】
（第２実施例）
第２実施例では、第１実施例に対してデータファイルの送信済みの記録を残し、操作者が確認できる様構成したものである。
【００２８】
第２実施例では、第１実施例のブロック図（図１）、外観図（図２）は同じ構成をとり、図３、４のデータ送信モードの動作の流れを示すフローチャートに換えて図８、９のフローチャートを用いる。また、第２実施例の表示例として図１０を用いる。
【００２９】
図８のフローチャートにおいてステップＳ８０３〜Ｓ８０５及びステップＳ８０９〜Ｓ８１２は、実施例１の図３のフローチャートにおけるステップＳ３０３〜Ｓ３０５及びステップＳ３０９〜Ｓ８１２の処理と同様な処理を行う。
【００３０】
ステップＳ８０２では、データ格納手段１０４に格納されているデータ（画像、テキスト、音声、動画など）がアイコン表示される。ここで、図１０は表示部１０８に表示されるデータ送信モードの表示例である。図５の５０１の表示領域には、データ格納手段１０４に格納されているユーザーデータがアイコンで一覧表示される。（以下データアイコンと記述する。）この時、各ユーザーデータが有する附帯情報内のラベル情報に従い、送信先ラベル情報が附帯するデータアイコンには、５０１ｂの様にラベルを貼り付けて表示を行う。また、附帯情報に後述する送信済みラベル情報を有するデータには、ラベルの表示形態を１００１〜１００３の様に変えて表示する。
【００３１】
ステップＳ８０５で送信データ表示モードか判断し送信データ表示モードである場合には、ステップＳ８０６で指示されたデータアイコンの附帯情報内の送信済みラベル情報と現在選択されている送信ラベルを比較し同一のラベルである場合には、既にそのデータは同一送信先に送信済みなのでステップＳ８０７において表示部１０８に警告のメッセージを表示し、ステップＳ８０３に処理を戻す。
【００３２】
次に図９のフローチャートについて説明する。図９のフローチャートにおいてステップＳ９０１〜Ｓ９０８及びステップＳ９１０は、実施例１の図４のフローチャートにおけるステップＳ４０１〜Ｓ４０８及びステップＳ４０９と同様な処理を行う。
【００３３】
ステップＳ９０８でデータの送信を終了した後、ステップＳ９０９に移行する。ステップＳ９０９では、ステップＳ９０８で送信したデータアイコンの附帯情報に送信先ラベル情報に換えて送信先の情報を含む送信済み情報を格納し、処理をステップＳ８０３に戻す。
【００３４】
以上説明したように、本実施例では、データファイルの送信済みの記録が一覧表示可能となる。
【００３５】
（第３実施例）
第３実施例では、第１実施例に対して送信先ラベルの送信先をグループ化し複数の送信先に対して一つのラベル名で指定できる様構成したものである。
【００３６】
第３実施例では、第１実施例のブロック図（図１）、外観図（図２）、図３、４のデータ送信モードの動作の流れを示すフローチャートは同じ構成をとり、送信先ラベルを本実施例の表示例図１１に示すように、送信先ラベル名１１０１に対して複数のメールアドレス（１１０２、１１０３、１１０４）を設定可能とする。また、操作者による送信の指示により、送信を開始する際には、送信先ラベル名に関連付けられた複数の送信先にデータ送信の処理を実行する。
【００３７】
以上説明したように、本実施例では、一つの送信先ラベルに複数の送信先を設定できるので、データ送信の際の設定を簡略化することが可能となる。
【図面の簡単な説明】
【００３８】
【図１】本発明の第１実施例の機器の構成を示すブロック図である。
【図２】第１実施例の機器の外観構成を示す図である。
【図３】第１実施例の機器のデータ送信モードの動作の流れを示すフローチャートである。
【図４】第１実施例の機器のデータ送信モードの動作の流れを示すフローチャートである。
【図５】第１実施例のデータ送信モードの表示例である。
【図６】第１実施例のデータ送信モードの送信データ表示の表示例である。
【図７】第１実施例のデータ送信モードの送信データ表示の表示例である。
【図８】第２実施例の機器のデータ送信モードの動作の流れを示すフローチャートである。
【図９】第２実施例の機器のデータ送信モードの動作の流れを示すフローチャートである。
【図１０】第２実施例のデータ送信モードの表示例である。
【図１１】第３実施例のデータ送信モードの表示例である。
【符号の説明】
【００３９】
１０１  ＣＰＵ
１０２  ＲＯＭ
１０３  ＲＡＭ
１０４  データ格納手段
１０５  通信手段
１０８  表示部
１１０  手書きタブレット
【図１】
2006227805.tif 000003
【図２】
2006227805.tif 000004
【図３】
2006227805.tif 000005
【図４】
2006227805.tif 000006
【図５】
2006227805.tif 000007
【図６】
2006227805.tif 000008
【図７】
2006227805.tif 000009
【図８】
2006227805.tif 000010
【図９】
2006227805.tif 000011
【図１０】
2006227805.tif 000012
【図１１】
2006227805.tif 000013